(57)【特許請求の範囲】
【請求項１】
膝ボトムの一端側をベッドフレームに回動昇降可能に支持し、その他端側に足ボトムの一端側を回動可能に連結すると共に、足ボトムの他端側の下側に支持ステーを回動可能に連結し、その先端側に構成した支持部の支持手段をベッドフレームに構成し、支持手段は、支持ステーの支持部を移動可能に支持する案内部と係合部とから構成し、前記案内部は、膝ボトムの回動範囲に渡って、その回動に伴って移動する前記支持部を支持可能に構成すると共に、係合部は、膝ボトムの下降時に支持部が位置する案内部の端部側の上方又は下方に構成したことを特徴とするベッドにおける足ボトムの支持機構。
【請求項２】
支持ステーは足ボトムの幅方向の左右側に一対構成すると共に、それらを先端側において連結棒体により一体に結合すると共に、支持ステーを貫いた連結棒体の端部を支持部として構成したことを特徴とする請求項１に記載のベッドにおける足ボトムの支持機構。
【請求項３】
支持部の端部を鉤状に屈曲させたことを特徴とする請求項２に記載のベッドにおける足ボトムの支持機構。
【請求項４】
支持部と鉤状部に合成樹脂製キャップを嵌合したことを特徴とする請求項３に記載のベッドにおける足ボトムの支持機構。
【請求項５】
案内部は、膝ボトムの下降時に支持部が位置する端部側を傾斜面を介して低段部として構成したことを特徴とする請求項１〜４までのいずれか１項に記載のベッドにおける足ボトムの支持機構。
【発明の詳細な説明】
【技術分野】
【０００１】
本発明は、ベッドにおける足ボトムの支持機構に関するものである。
【背景技術】
【０００２】
現在、医療用や家庭用のベッドとしては、背ボトムや膝ボトムを回動させて起伏可能とすることにより、ボトム上の使用者を、場合に応じて好適な姿勢で支持するように構成したものが幅広く使用されている。
【０００３】
膝ボトムには足ボトムの一端側が回動可能に連結されており、従来のベッドでは、足ボトムの他端側が、常時、ベッドフレームの支持面に支持されているものと、足ボトムの他端側の下側に支持ステーを回動可能に連結して、この支持ステーにより、ベッドフレームの上方に支持可能としたものとがある。
【０００４】
例えば特許文献１は、足ボトムの他端側の下側に支持ステーを回動可能に連結し、この支持ステーの先端側をベッドフレームに設けた支持手段に支持することにより、足ボトムの他端側をベッドフレームの上方に支持可能としたものであり、支持手段は、ベッドフレームの長手方向に複数配置した係合凹部とから構成され、支持ステーの先端側を支持する係合凹部の位置を変えることにより、足ボトムの他端側の高さ調節を可能としている。
【０００５】
図１３〜図１８はこのような従来の足ボトムの支持機構の一例を模式的に示すものである。
符号ａはベッドフレームであり、このベッドフレームａに膝ボトムｂの一端側を回動昇降可能に支持している。ｃはベッドフレームａに回動可能に支持した押上アームであり、この押上アームｃは作動部材ｄを介してアクチュエータｅに連結して、アクチュエータの図中左右方向の動きにより膝ボトムｂを回動昇降可能に構成している。そして膝ボトムｂの他端側には足ボトムｆの一端側を回動可能に連結しており、足ボトムｆの他端側の下側に支持ステーｇを回動可能に連結している。
【０００６】
図１３に示すように、支持ステーｇは足ボトムｆの幅方向の左右側に一対構成すると共に、それらを先端側において連結棒体ｈにより一体に結合すると共に、支持ステーｇの先端側を貫いた連結棒体ｈの端部を支持部ｉとして構成し、その端部にはクランク状の取手部ｊを形成している。一方、ベッドフレームａには支持部ｉを係合させる２つの係合凹部ｍ、ｎを長手方向に配置した支持部材ｏを設けている。
【特許文献１】特開昭６３−１２５２１３号公報
【発明の開示】
【発明が解決しようとする課題】
【０００７】
以上の構成において、膝ボトムｂが回動上昇した状態において、図１５に示すように支持部ｉが係合凹部ｍに係合している場合には、図１４に示すように足ボトムｆの他端側は、ベッドフレームａとの角度が大きい状態の支持ステーｇによって高い位置に支持される。
【０００８】
この状態において膝ボトムｂを下降すると、膝ボトムｂの下降に伴う足ボトムｆの図中右方向への移動量は、ベッドフレームａとの角度が大きい状態の支持ステーｇの回動によって打ち消されるため、図１６に示すように支持部ｉが係合凹部ｍに係合している状態で膝ボトムｂと足ボトムｆを平らな状態に移行することができる。従って、この状態において、膝ボトムｂを回動上昇させると、再び、図１４に示すように足ボトムｆの他端側が上方に支持された状態に移行する。
【０００９】
一方、膝ボトムｂが回動上昇した状態において、図１８に示すように支持部ｉが係合凹部ｎに係合している場合には、図１７に示すように足ボトムｆの他端側は、ベッドフレームａとの角度が小さい状態の支持ステーｇによって低い位置に支持される。
【００１０】
この状態において、膝ボトムｂを下降すると、膝ボトムｂの下降に伴う足ボトムｆの図中右方向への移動量は、ベッドフレームａとの角度が小さい状態の支持ステーｇの回動によっては打ち消すことができないため、支持部ｉは図１８中の矢印に示すように次第に図中右方に移動し、膝ボトムｂと足ボトムｆが平らな状態になった時点では、支持部ｉは係合凹部ｎから係合凹部ｍへと移動して係合し、図１６と同様な状態となる。
【００１１】
このため、次に膝ボトムｂを回動上昇させると、図１７に示されるような、足ボトムｆの他端側が、ベッドフレームａとの角度が小さい状態の支持ステーｇによって低い位置に支持された状態に戻らず、図１４に示されるように足ボトムｆの他端側が上方に支持された状態に移行してしまう。
【００１２】
また図１６に示すように膝ボトムｂと足ボトムｆが平らな状態においては、支持部ｉを係合凹部ｎに移すことはできず、膝ボトムｂを回動上昇させてからのみ移すことができるので、図１７に示すようなボトムの状態に移行する操作が面倒である。
本発明は、以上の課題を解決することを目的とするものである。
【課題を解決するための手段】
【００１３】
上述した課題を解決するために、本発明では、膝ボトムの一端側をベッドフレームに回動昇降可能に支持し、その他端側に足ボトムの一端側を回動可能に連結すると共に、足ボトムの他端側の下側に支持ステーを回動可能に連結し、その先端側に構成した支持部の支持手段をベッドフレームに構成し、支持手段は、支持ステーの支持部を移動可能に支持する案内部と係合部とから構成し、前記案内部は、膝ボトムの回動範囲に渡って、その回動に伴って移動する前記支持部を支持可能に構成すると共に、係合部は、膝ボトムの下降時に支持部が位置する案内部の端部側の上方又は下方に構成したベッドにおける足ボトムの支持機構を提案する。
【００１４】
また本発明では、上記の構成において、支持ステーは足ボトムの幅方向の左右側に一対構成すると共に、それらを先端側において連結棒体により一体に結合すると共に、支持ステーを貫いた連結棒体の端部を支持部として構成することを提案する。また本発明では、この構成において、支持部の端部を鉤状に屈曲させることを提案する。更に本発明では、この構成において、支持部と鉤状部に合成樹脂製キャップを嵌合することを提案する。
【００１５】
また本発明では、上記の構成において、案内部は、膝ボトムの下降時に支持部が位置する端部側を傾斜面を介して低段部として構成したことを提案する。
【発明の効果】
【００１６】
本発明では、支持ステーの先端側の支持部を支持するための支持手段は、支持部を移動可能に支持する案内部と係合部とから構成しており、そして案内部は、膝ボトムの回動範囲に渡って、その回動に伴って移動する前記支持部を支持可能に構成しているので、支持部を案内部上に位置させている状態では、支持部は案内部上をベッドフレームの長手方向に移動するので、支持ステーは足ボトムの他端側を支持せず、そして、この状態を膝ボトムの回動範囲に渡って維持することができる。
【００１７】
このため膝ボトムと足ボトムが平らな状態から、膝ボトムを回動上昇させた場合には、足ボトムの一端側が膝ボトムの回動軌跡に沿って上昇するが、他端側はベッドフレームの長手方向に膝ボトム方向に移動しながらベッドフレーム上の低い位置に支持される。
【００１８】
この状態から膝ボトムを回動下降させると、足ボトムの他端側は膝ボトムから離れる方向に移動し、支持部は案内部上を移動する。そして膝ボトムと足ボトムが平らな状態に至っても、支持部は案内部上に位置する。
【００１９】
従って、この状態において、膝ボトムを回動上昇すると、上述と同様な動作により、再び、膝ボトムが回動上昇した状態において、足ボトムの他端側をベッドフレーム上の低い位置に支持することができる。
【００２０】
次に、膝ボトムを回動上昇させた際に足ボトムの他端側を高い位置に保持したい場合には、足ボトムを持ち上げて支持部を案内部の端部を越えて案内部から外し、端部側の上方又は下方に構成した係合部に係合させる。
【００２１】
例えば係合部を端部側の下方に構成している場合には、支持部を下降させ、この状態で膝ボトムを回動上昇させると、足ボトムの一端側が膝ボトムの回動軌跡に沿ってベッドフレームの長手方向に移動しながら上昇し、足ボトムの他端側が膝ボトム方向に移動するので、これに伴って支持ステーが移動し、支持部が係合部に係合する。また係合部を端部側の上方に構成している場合には、支持部を上昇させて係合部に係合させる。
【００２２】
この状態で膝ボトムを更に回動上昇させると、係合部に係合状態の支持部が支点となって支持ステーが回動上昇し、これにより足ボトムの一端側を上昇させる。こうして、膝ボトムが回動上昇した状態において、足ボトムの他端側が高い位置に支持される。
【００２３】
膝ボトムを回動下降させると、上述と逆の動作により、支持ステーが回動下降して膝ボトムと足ボトムを平らな状態とすることができ、この状態においては、支持部は係合部側に位置するため、次に膝ボトムを回動上昇させた場合には、再度、膝ボトムが回動上昇した状態において、足ボトムの他端側が高い位置に支持することができる。
【００２４】
本発明では、支持部の端部を鉤状に屈曲させ、そしてこの構成において、支持部と鉤状部に合成樹脂製キャップを嵌合することにより、支持部が案内部上に移動する際の滑りを良くし、異音の発生を防止することができる。
【００２５】
また本発明では、案内部は、膝ボトムの下降時に支持部が位置する端部側を、傾斜面を介して低段部として構成することにより、足ボトムが平らになった時点における支持部の位置を下げることができ、以て、足ボトムの高さをより下げた構成とすることができる。
【発明を実施するための最良の形態】
【００２６】
次に本発明のベッドにおける足ボトムの支持機構の実施の形態を図１〜図１２を参照して説明する。
図において、符号１はベッドフレームであり、このベッドフレーム１に膝ボトム２の一端側を回動昇降可能に支持している。３はベッドフレーム１に回動可能に支持した押上アームであり、この押上アーム３は作動部材４を介してねじシャフト式アクチュエータ等のアクチュエータ５に連結して、アクチュエータ５の図中左右方向の動きにより膝ボトム２を回動昇降可能に構成している。そして膝ボトム２の他端側には足ボトム６の一端側を回動可能に連結しており、足ボトム６の他端側の下側に支持ステー７を回動可能に連結している。
【００２７】
図１に示すように、支持ステー７は足ボトム６の幅方向の左右側に一対構成し、それらを先端側において連結棒体８により一体に結合すると共に、支持ステー７の先端側を貫いた連結棒体８の端部を支持部９として構成し、その端部には鉤状部１０を形成している。図示は省略しているが、この支持部９と鉤状部１０には摺動時における滑りを良くすることと、異音の発生を防止するための合成樹脂製キャップが嵌合されている。
【００２８】
一方、ベッドフレーム１には、支持部９を支持するための支持手段１１を設けており、この支持手段１１は、支持部９を移動可能に支持する案内部１２と係合部１３とから構成している。この案内部１２は、後述する動作から明らかなように、膝ボトム２の回動範囲に渡って、その回動に伴って移動する支持部９を支持可能に構成している。そして、係合部１３は、膝ボトム２の下降時に支持部９が位置する案内部１２の端部側の下方に構成している。更に係合部１３には、上記端部側から離れる側に上方に傾斜した傾斜面１４を構成している。一方、案内部１２は、膝ボトム２の下降時に支持部９が位置する端部側を、傾斜面１５を介して低段部１６として構成している。尚、係合部１３は、上述したとおり、膝ボトム２の下降時に支持部９が位置する案内部１２の端部側の上方に構成することもできる。
【００２９】
以上の構成における本発明の動作を以下に説明する。
まず図３は支持部９を案内部１２上に位置させている状態において、膝ボトム２を回動上昇させた状態を示すものである。この状態では、支持部９は案内部１２の図中左側に位置しており、支持ステー７は足ボトム６の他端側を支持しないので、足ボトム６の一端側は膝ボトム２と共に上昇しているが、他端側はベッドフレーム１上に位置し、即ち低い位置に支持されている。
【００３０】
この状態から膝ボトム２を回動下降させると、足ボトム６の他端側はベッドフレーム１上に支持されながら図４にしめすように右方に移動し、これと共に支持部９も案内部１２上を右方向に移動する。
【００３１】
図４の状態から更に膝ボトム２を回動下降させると、支持部９は図５に示すように傾斜面１５に至り、次いで膝ボトム２と足ボトム６が平らになった状態では、支持部９は傾斜面１５から更に移動して、図６に示すように低段部１６に位置するようになる。
【００３２】
上述したように案内部１２は、膝ボトム２の回動範囲に渡って、その回動に伴って移動する支持部９を支持可能に構成しており、このように膝ボトム２が回動範囲の下端に至った時点においても支持部９は案内部１２上に位置するので、この状態、即ち、膝ボトム２と足ボトム６が平らな状態から、膝ボトム２を回動上昇させた場合には、回動下降と逆の経過を辿って、足ボトム６の一端側が膝ボトム２と共に上昇して高い位置に支持され、一方、他端側はベッドフレーム１上の、低い位置に支持される。
【００３３】
次に例えば図３の状態において、図７に示すように足ボトム６の他端側を持ち上げると、支持部９は案内部１２上を右方向に移動して、終いには図８に示すように、案内部１２の端部を越えた位置に至る。
【００３４】
この実施の形態の場合には、支持ステー７は、図８の状態を越えての図中反時計回りの回動が阻止されているため、この状態において足ボトム６を下降させると、支持部９は図９に示すように係合部１３の右側に形成されている傾斜面１４に至り、そして更に下降させると図１０に示すよう係合部１３を構成する壁に当接して係合状態となる。
【００３５】
こうして支持部９が係合部１３に係合している支持ステー７は、足ボトム６の他端側を支持するため、足ボトム６は、膝ボトム２が回動上昇している状態で、その他端側が、支持ステー７により高い位置に支持された状態となる。
【００３６】
この状態において膝ボトム２を回動下降させると、足ボトム６の他端側は支持ステー７により支持されながら膝ボトム２から離れる方向に移動し、図１１の状態を経て、図１２に示すように、膝ボトム２と足ボトム６が平らな状態に至る。
【００３７】
この状態においては、支持部９は案内部１２の下方に位置するため、次に膝ボトム２を回動上昇させた場合には、足ボトム６は、その一端側が膝ボトム２により上昇すると共に、他端側が支持ステー７により支持されながら上昇して、図１０に示すように、再度、膝ボトム２が回動上昇した状態において、足ボトム６の他端側を高い位置に支持することができる。
【００３８】
尚、上述したとおり、この実施の形態の場合には、支持ステー７は、図８の状態を越えての図中反時計回りの回動が阻止されているが、回動阻止を行わない構成において本発明を適用することも可能である。即ち、この場合には、足ボトム６を持ち上げた後に、支持ステー７を手で持って前方に回動させて図８の状態から図９の状態に移行させることにより、支持部９を所定位置にもたらすことができる。
【００３９】
次に膝ボトム２が回動上昇した状態において、足ボトム６の他端側を高い位置に支持する支持形態から、膝ボトム２が回動上昇した状態において、足ボトム６の他端側を低い位置に支持する支持形態に移行させたい場合には、足ボトム６の他端側を持ち上げ、支持ステー７を手で持って前方に回動させて、支持部９を端部を越えて案内部１２上に移動させれば良い。
【００４０】
従って膝ボトム２と足ボトム６が平らな状態において、膝ボトム２に対しての足ボトム６の回動上昇が可能な構成の場合には、膝ボトム２が回動上昇した状態において、足ボトム６の他端側を高い位置に支持する支持形態と、膝ボトム２が回動上昇した状態において、足ボトム６の他端側を低い位置に支持する支持形態との、相互の切り替え操作を、膝ボトム２と足ボトム６がどのような位置にあった場合にも可能である。
【００４１】
また膝ボトム２と足ボトム６が平らな状態において、膝ボトム２に対しての足ボトム６の回動上昇が不可能な構成の場合にも、足ボトム６を膝ボトム２と共に持ち上げることにより適宜に支持形態の相互の切り替え操作を行うことができる。
【産業上の利用可能性】
【００４２】
以上のとおり、本発明のベッドにおける足ボトムの支持機構は、膝ボトムの回動上昇時における足ボトムの支持形態を、使用者の身体状況に応じて、随時切り替えて容易に設定が可能であると共に、設定した支持形態を維持することができるという利点があり、医療用や家庭用のベッドとして、産業上の利用可能性が大である。
【図面の簡単な説明】
【００４３】
【図１】本発明の実施の形態を示すもので、要部模式的斜視図である。
【図２】本発明の実施の形態を示すもので、模式的要部側面図である。
【図３】本発明の実施の形態を示すもので、模式的側面図である。
【図４】図３とは異なった局面において示す模式的側面図である。
【図５】以上の図とは異なった局面において示す模式的側面図である。
【図６】以上の図とは更に異なった局面において示す模式的側面図である。
【図７】以上の図とは更に異なった局面において示す模式的側面図である。
【図８】以上の図とは更に異なった局面において示す模式的側面図である。
【図９】以上の図とは更に異なった局面において示す模式的側面図である。
【図１０】以上の図とは更に異なった局面において示す模式的側面図である。
【図１１】以上の図とは更に異なった局面において示す模式的側面図である。
【図１２】以上の図とは更に異なった局面において示す模式的側面図である。
【図１３】従来の足ボトムの支持機構を示す要部模式的斜視図である。
【図１４】従来の支持機構の動作を示す模式的側面図である。
【図１５】図１４の要部拡大図である。
【図１６】従来の支持機構の動作を他の局面で示す模式的側面図である。
【図１７】従来の支持機構の動作を更に他の局面で示す模式的側面図である。
【図１８】図１７の要部拡大図である。
【符号の説明】
【００４４】
１              ベッドフレーム
２              膝ボトム
３              押上アーム
４              作動部材
５              アクチュエータ
６              足ボトム
７              支持ステー
８              連結棒体
９              支持部
１０            鉤状部
１１            支持手段
１２            案内部
１３            係合部
１４            傾斜面
１５            傾斜面
１６            低段部
ａ              ベッドフレーム
ｂ              膝ボトム
ｃ              押上アーム
ｄ              作動部材
ｅ              アクチュエータ
ｆ              足ボトム
ｇ              支持ステー
ｈ              連結棒体
ｉ              支持部
ｊ              クランク状の取手部
ｍ、ｎ          係合凹部
ｏ              支持部材
【図１】
0005084562.tif 000002
【図２】
0005084562.tif 000003
【図３】
0005084562.tif 000004
【図４】
0005084562.tif 000005
【図５】
0005084562.tif 000006
【図６】
0005084562.tif 000007
【図７】
0005084562.tif 000008
【図８】
0005084562.tif 000009
【図９】
0005084562.tif 000010
【図１０】
0005084562.tif 000011
【図１１】
0005084562.tif 000012
【図１２】
0005084562.tif 000013
【図１３】
0005084562.tif 000014
【図１４】
0005084562.tif 000015
【図１５】
0005084562.tif 000016
【図１６】
0005084562.tif 000017
【図１７】
0005084562.tif 000018
【図１８】
0005084562.tif 000019